(57)【特許請求の範囲】
【請求項１】
針引き込み式の針交換可能な安全な自滅式注射器であって、バレル本体（１）を備え、前記バレル本体（１）の端部のバレルネック（２）の中には内針基本体（３）が設けられており、バレル本体（１）の中にはコアロッド（5）が設けられており、コアロッド（5）の端部に近いところにはゴム栓（6）が設けられており、バレルネック（２）と内針基本体（３）との間には弾性緩衝規制係止機構が形成されており、
前記弾性緩衝規制係止機構は内針基本体（３）に配置されており、同内針基本体（３）の内腔は中空であり、腔内にはインナースリーブタイプ引き込みロック部品（4）が設けられているか、或いは内針基本体（３）の外部には外側スリーブタイプ引き込みロックユニットが嵌められており、前記内針基本体（３）の上部には針交換可能な組立部（7）が形成され、内針基本体（３）の下部には弾性密封規制部（8）が形成され、針交換可能な組立部（7）と弾性密封規制部（8）は一体式の単体構造であり、弾性密封規制部（8）の表面には環状緩衝隙間（9）が開けられており、環状緩衝隙間（9）の外側の弾性密封規制部（8）の外壁には環状密封規制係止部（10）が形成され、弾性密封規制部（8）の外壁には側面旋回防止用凸状リブ（13）が設けられており、針交換可能な組立部（７）には雄ネジ組立部（11）が形成され、コアロッド（5）の端部には非対称弾性ロック引き込み部品が設けられていることを特徴とする針引き込み式の針交換可能な安全な自滅式注射器。
【請求項２】
前記非対称弾性ロック引き込み部品はコアロッドの対称中心線を中軸とし、前記中軸の両側それぞれには一つの係止ロック部が形成され、そして両側の係止ロック部は非対称状であり、前記一側の係止ロック部は他側の係止ロック部より高くまたは低く、前記一側の係止ロック部の幅は他側の係止ロック部より大きくまたは小さく、前記一側又は両側の係止ロック部は弾性構造を有し、前記一側の係止ロック部の外側縁とロッド本体の対称中心線との距離は1mm〜20mmであることを特徴とする請求項1に記載の針引き込み式の針交換可能な安全な自滅式注射器。
【請求項３】
前記非対称弾性ロック引き込み部品はバーブ（12）であって、前記バーブ（12）はプラスチック材質であり、かつコアロッド（5）部と一体構造となっており、一次成型であることを特徴とする請求項1に記載の針引き込み式の針交換可能な安全な自滅式注射器。
【請求項４】
前記バーブ（１２）の下端にはベース部（１4）が形成され、ベース部（１4）の上部には一側に偏向する第一湾曲アーム（１5）が形成され、第一湾曲アーム（１5）とベース部（１4）との接続箇所の外側壁には内部凹状の円弧角（16）又は斜角が形成され、同円弧角は４５度〜１７９度であり、第一湾曲アーム（１5）の下端はベース部（１4）の上端と繋がっており、第一湾曲アーム（１5）の上端は第二湾曲アーム（１7）の一側と繋がっており、第二湾曲アーム（１7）の他側はぶら下がっており、第一湾曲アーム（１5）と第二湾曲アーム（１7）との接続箇所の外側には円弧面（１8）が形成され、第一湾曲アーム（１５）と第二湾曲アーム（１7）との接続箇所の内側には２度〜９０度の内夾角（39）が形成され、第二湾曲アーム（１７）のぶら下がり端と第一湾曲アーム（１５）の間には幅0.5mm〜40mmの切り欠きが形成され、前記第一湾曲アーム（１5）の長さは0.5mm〜50mmであり、前記第二湾曲アーム（１7）の長さは0.5mm〜60mmであることを特徴とする請求項3に記載の針引き込み式の針交換可能な安全な自滅式注射器。
【請求項５】
前記第二湾曲アーム（17）のぶら下がり端には刺部（２４）が形成され、かつ第二湾曲アーム（17）のぶら下がり端はベース部（14）の外側縁より伸び出ていることを特徴とする請求項4に記載の針引き込み式の針交換可能な安全な自滅式注射器。
【請求項６】
前記針交換可能な組立部（7）の雄ネジ組立部（11）には交換可能な針基（24）がねじ込まれており、交換可能な針基（24）の上端の中心位置には針管（２５）が設けられており、交換可能な針基（24）の中には針管（25）と繋がる円柱状腔（30）が形成され、交換可能な針基（24）の内腔の内壁には雄ネジ組立部（11）と合わせられる雌ネジ組立部（31）が形成され、円柱状腔（30）の上部は円錐状であり、同円錐状のテーパーは６：100であることを特徴とする請求項1に記載の針引き込み式の針交換可能な安全な自滅式注射器。
【請求項７】
前記弾性密封規制部（8）の外壁には環状に均一分布の状態に側面旋回防止用凸状リブ（13）が設けられており、前記側面旋回防止用凸状リブ（13）の端部は半円弧状又は錐状であることを特徴とする請求項1に記載の針引き込み式の針交換可能な安全な自滅式注射器。
【請求項８】
前記針交換可能な組立部（7）の上部は円錐状であり、そのテーパーは6：100であり、針交換可能な組立部（7）の下部の外壁には雄ネジ組立部（11）が形成されていることを特徴とする請求項1に記載の針引き込み式の針交換可能な安全な自滅式注射器。
【請求項９】
前記針交換可能な組立部（7）が弾性密封規制部（8）との間の箇所には環状段（26）又は環状斜面を形成することを特徴とする請求項1に記載の針引き込み式の針交換可能な安全な自滅式注射器。
【請求項１０】
前記環状緩衝隙間（9）は環状の溝構造であり、そのノッチから溝底までの高さは0.05mm〜４mmであり、環状緩衝隙間（9）の幅は0.05mm〜4mmであり、環状緩衝隙間（9）の外側の溝壁と環状密封規制係止部（10）の表面の弧面アーク頂点との距離は0.1mm〜6mmであり、環状緩衝隙間（9）の外側の溝壁のノッチと環状密封規制係止部（10）の外壁との距離は0.1mm〜6mmであり、環状緩衝隙間（9）の外側の溝壁の溝底と環状密封規制係止部（10）の外壁との距離は0.1mm〜6mmであり、環状密封規制係止部（10）の表面は弧面状であり、環状密封規制係止部（１０）の表面アーク頂点から弧面の上縁までの距離はアーク頂点から弧面の下縁までの距離より小さく、前記環状密封規制係止部（10）の下部の弾性密封規制部（8）の外壁には環状凹み（２7）が形成されていることを特徴とする請求項1に記載の針引き込み式の針交換可能な安全な自滅式注射器。
【請求項１１】
前記環状凹み（27）は環状緩衝隙間（9）の溝底と同じ水平面に位置し、或いは環状緩衝隙間（9）の溝底より高いことを特徴とする請求項10に記載の針引き込み式の針交換可能な安全な自滅式注射器。
【請求項１２】
前記環状段（26）の下部の弾性密封規制部（8）の外壁には環状シールリング組立溝（28）が形成され、環状シールリング組立溝（28）の中には「O」状シールリング（２９）が嵌められていうることを特徴とする請求項9に記載の針引き込み式の針交換可能な安全な自滅式注射器。
【請求項１３】
前記バレル本体（１）のバレルネック（２）の外部にはバレル本体シース（32）が嵌められていることを特徴とする請求項１に記載の針引き込み式の針交換可能な安全な自滅式注射器。
【請求項１４】
前記インナースリーブタイプ引き込みロック部品（4）の内腔は中空であり、その内腔内壁の下端の切り欠きに近いところには環状係止ロック部（３８）が形成されていることを特徴とする請求項1に記載の針引き込み式の針交換可能な安全な自滅式注射器。
【請求項１５】
前記環状係止ロック部（38）の上部には環状溝（37）が形成され、環状溝（37）の内側壁（40）の厚みは0.01mm〜3mmであり、環状溝（37）の内側壁（40）が環状溝（37）の外側壁（41）と2度〜90度の夾角を形成しており、環状溝（37）の内側壁上端に形成する内直径は１mm〜80mmであることを特徴とする請求項14に記載の針引き込み式の針交換可能な安全な自滅式注射器。
【請求項１６】
前記環形溝37のノッチの幅は溝底の幅より大きいことを特徴とする請求項15に記載の針引き込み式の針交換可能な安全な自滅式注射器。
【請求項１７】
針引き込み式の針交換可能な安全な自滅式注射器であって、バレル本体（１）を備え、前記バレル本体（１）の端部のバレルネック（２）の中には内針基本体（３）が設けられており、バレル本体（１）の中にはコアロッド（5）が設けられており、コアロッド（5）の端部に近いところにはゴム栓（6）が設けられており、バレルネック（２）と内針基本体（３）との間には弾性緩衝規制係止機構が形成されており、
前記弾性緩衝規制係止機構は内針基本体（３）に配置され、同内針基本体（３）の内腔は中空であり、腔内にはインナースリーブタイプ引き込みロック部品（4）が設けられているか、或いは内針基本体（３）の外部には外側スリーブタイプ引き込みロックユニットが嵌められており、前記内針基本体（３）の上部には針交換可能な組立部（7）が形成され、内針基本体（３）の下部には弾性密封規制部（8）が形成され、針交換可能な組立部（7）と弾性密封規制部（8）は分離型の組立構造となっており、弾性密封規制部（8）の表面には環状緩衝隙間（9）が開けられており、環状緩衝隙間（9）の外側の弾性密封規制部（8）の外壁には環状密封規制係止部（10）が形成され、弾性密封規制部（8）の外壁には側面旋回防止用凸状リブ（13）が設けられており、針交換可能な組立部（７）には雄ネジ組立部（11）が形成され、コアロッド（5）の端部には非対称弾性ロック引き込み部品が設けられていることを特徴とする針引き込み式の針交換可能な安全な自滅式注射器。
【請求項１８】
針引き込み式の針交換可能な安全な自滅式注射器であって、バレル本体（１）を備え、前記バレル本体（１）の端部のバレルネック（２）の中には内針基本体（３）が設けられており、バレル本体（１）の中にはコアロッド（5）が設けられており、コアロッド（5）の端部に近いところにはゴム栓（6）が設けられており、バレルネック（２）と内針基本体（３）との間には弾性緩衝規制係止機構が形成されており、
前記コアロッド（5）には四つ十字型等角分布の補強リブ（21）が形成され、補強リブ（21）の外縁には規制折片（22）が設けられていることを特徴とする針引き込み式の針交換可能な安全な自滅式注射器。
【請求項１９】
前記規制折片（22）と補強リブ（21）の間は少なくとも2個の接点（23）により繋がっていることを特徴とする請求項18に記載の針引き込み式の針交換可能な安全な自滅式注射器。
【請求項２０】
針引き込み式の針交換可能な安全な自滅式注射器であって、バレル本体（１）を備え、前記バレル本体（１）の端部のバレルネック（２）の中には内針基本体（３）が設けられており、バレル本体（１）の中にはコアロッド（5）が設けられており、コアロッド（5）の端部に近いところにはゴム栓（6）が設けられており、バレルネック（２）と内針基本体（３）との間には弾性緩衝規制係止機構が形成されており、
前記バレル本体（１）のバレルネック（２）の内壁には環状密封規制係止部（10）と嵌合する環状密封規制凹み（33）が設けられており、環状密封規制凹み（33）の深さは0.01mm〜4mmであり、環状密封規制凹み（33）の高さは0.01mm〜6mmであり、環状密封規制凹み（２0）の凹みの底部は弧面状であり、環状密封規制凹み（33）の下部のバレルネック（２）の内壁には側面旋回防止用凸状リブ（13）と合わせられる反対方向側面旋回防止用凸状リブ（34）が形成されていることを特徴とする針引き込み式の針交換可能な安全な自滅式注射器。
【請求項２１】
針引き込み式の針交換可能な安全な自滅式注射器であって、バレル本体（１）を備え、前記バレル本体（１）の端部のバレルネック（２）の中には内針基本体（３）が設けられており、バレル本体（１）の中にはコアロッド（5）が設けられており、コアロッド（5）の端部に近いところにはゴム栓（6）が設けられており、バレルネック（２）と内針基本体（３）との間には弾性緩衝規制係止機構が形成されており、
前記内針基本体（３）の腔の内壁には少なくとも一つの内針基環状規制溝（35）が形成され、内針基本体（３）の腔にはインナースリーブタイプ引き込みロックユニット（4）が設けられており、インナースリーブタイプ引き込みロックユニット（4）の外壁には少なくとも一つの内針基環状規制溝（35）と合わせられる規制バルジループ（36）が配置されていることを特徴とする針引き込み式の針交換可能な安全な自滅式注射器。
【発明の詳細な説明】
【技術分野】
【０００１】
本発明は、医療機器における針引き込み式の針交換可能な安全な自滅式注射器に関し、特にその機械接続構造に関する。
【背景技術】
【０００２】
参照特許文献１    
特許番号：ZL200710047077．4    
出願日：2007.10.16    
公開番号：CN101411908    
特許権者：上海頂尖堂生化科技有限公司  
参照特許文献１に開示される安全な自滅式ワクチン注射器は、バレル本体を備え、バレル本体の中にはコアロッドが設けられており、コアロッドの端部に近いところにはゴム栓が設けられており、バレル本体のバレルネックの中には針が設けられており、針のところには針管が設けられている。
前記コアロッドの端部のロッド本体の側壁には横方向欠けが設けられており、横方向欠けはコアロッドの端部のロッド本体にある縦方向欠けと繋がり、横方向欠けは縦方向欠けと嵌合している。針は上針基と下針基に嵌まっており、下針基の内腔は中空であり、下針基は筒状構造であり、下針基に取り付けられている上針基に向かう他側の切り欠の内壁には下針基の凸状リブが設けられている。コアロッドの端部には横方向欠けと縦方向欠けが繋がって形成する弾性体が設けられており、このコアロッドのロッド本体は一定の弾性を有し、そのうち、縦方向欠けは上狭下広の形状であり、横方向欠けの外部の切り欠き部の上部にあるコアロッドのロッド本体の外壁はこの下部コアロッドのロッド本体の外壁より突き出し、横方向欠けは外高内低の形状とすることが可能である。コアロッド端部は円弧状であり、上針基は円柱状であり、上針基の外壁の上段には補強リブが設けられており、上針基の外壁の下段には上針基を固定するバルジループが設けられており、上針基を固定するバルジループの外径は上針基の外壁の直径より0.05mm〜0.3mm大きい。
前記下針基は円柱状であり、その内腔は中空であり、下針基の腔の内壁には下針基の環状の固定溝が設けられており、下針基の環状の固定溝は上針基を固定するバルジループと嵌合することができる。下針基の環状の固定溝の上部の腔の内径は上針基を固定するバルジループの上部のロッド本体の外壁の外径より0.1mm〜0.35mm小さい。つまり、下針基の環状の固定溝の下部の腔の内径≦上針基を固定するバルジループの下部のロッド本体の外壁の外径であり、下針基が針基のバルジループに向かう他側の外壁の端部には下針基の環状の凸状リブが設けられている。
前記バレル本体のバレルネックの内壁にはそれぞれバレルネック上限規制リングとバレルネック下限規制リングが設けられており、バレルネック上限規制リングとバレルネック下限規制リングの距離は0.3mm〜1.5mmであり、バレルネック上限規制リングはバレルネック上限規制リングとバレルネック下限規制リングの内壁より0.1mm〜0.6mm突き出している。バレルネック下限規制リングはバレルネック上限規制リングとバレルネック下限規制リングの内壁より0.02mm〜0.25mm突き出している。つまり、バレルネック上限規制するリング上部バレル本体内腔の内径≧バレルネック上限規制リングとバレルネック下限規制リングの間のバレル本体の内腔の内径であり、バレルネック上限規制リングとバレルネック下限規制リングの間のバレル本体の内腔の内径≦バレルネック下限規制リングの下部のバレル本体内腔の内径である。バレルネック上限規制リングとバレルネック下限規制リングの間のバレル本体の内腔の内径は下針基の環状の凸状リブの外径より0.1mm〜0.5mm小さい。バレル内腔がバレルネックに向かう他側の内壁にはバレル本体規制リブが設けられており、バレル本体規制リブはリニア環状リブと数本の縦リブで構成される環状リブ、及び、一本の縦リブと数個の突き出しポイントで構成される環状リブにすることができる。バレル本体規制リブの下部のバレル本体の内壁にはバレル本体の内部の凸状リブが設けられており、バレル本体規制リブとバレル本体の内部の凸状リブの距離≧環状規制チップの厚さとなっており、バレル本体を規制の内径は環状規制チップの直径より小さいことを特徴とする。
【０００３】
参照特許文献2    
特許番号：ZL200720067715．4    
出願日：2007.03.08    
公開番号：CN201076648    
特許権者：上海頂尖堂生化科技有限公司  
参照特許文献2に開示される金属フック構造付きのコアロッドは、コアロッド本体を備え、コアロッド本体の上端部には柱状ファスナーが設けられており、柱状ファスナーにはゴム栓が嵌められている。
前記ゴム栓には据付穴が設けられており、据付穴の中にバーブが設けられていることを特徴とする。
【０００４】
従来の安全ば注射器の構造の中にはバーブを利用して針の伸縮機能を実現して、安全注射を実現しているものがあるが、バーブはほとんど金属部品またはプラスチック品を使っている。金属部品は加工を必要とし、コアロッドとの嵌合又は組立を行う必要があって、製作プロセスが複雑であり、難度が大きく、且つ安定性が良くなく、加工工程と製造コストを増やすことだけではなく、金属部品そのもの及びその組立プロセスは安全性や製品品質などの不確定性を増やすことになる。従来のプラスチックバーブは構造的に欠陥または不完全なところがあるので、製品は使用過程に安全面での危険又は安全面での弱点が存在している。従来のプラスチックバーブの設計は、針の引き込み機能を実現できていても、使用中に針が引き込まれた後にやはり正常軌跡に位置しているので、針が再度押し出されて使用者の二次損傷を引き起こすリスクがある。
【０００５】
また、従来の単針基引き込み式の安全な自滅式注射器または安全注射器には、全部に同じ難題が存在している。それは具体的に言えば次の問題をどのように解決するかということである。つまり、内針基がバレル本体と安定に係止して、一定の強度に達して安定性の要求に適合すること、及び使いやすいように針基を引き込む時に必要なテンションが大きくてはならないことである。固い嵌合構造は内針基とバレル本体の内壁の安定的なロック効果を達成できるが、使用者の利便性のニーズを達成することがなかなか難しい。プラスチック材料そのものに内在する不安定性と環境温度変化による特性は硬い嵌合構造の製品安定性が悪くなるという現象を引き起こし、生産プロセスにおける品質と精度を制御しにくく、量産を実現することができない。
【０００６】
以上のように、製品が使用過程における安全性と安定性をさらに向上し、同時に加工工程を簡略化にして製造コストを低減する目的を目指すように、従来の引き込み式の注射器のコアロッド構造、内針基とバレル本体のロック構造に対してさらに改善する必要がある。
【発明の概要】
【発明が解決しようとする課題】
【０００７】
本発明の目的は、針引き込み式の針交換可能な自滅式注射器を提供することを目的とする。注射器の内針基と注射器のバレル本体の間は弾性緩衝機構によってお互いにロックする。巧みに係止部位の緩衝隙間と係止部品の可塑性を運用して、完全に両者のロックおよび脱離の効果を実現する。同弾性緩衝係止機構は内針基に配置されてもよく、またバレル本体の内壁に配置されてもよい。どのような方式を採用しても、同時に内針基またはバレル本体の内壁には対称となり、及びお互いに嵌合する係止機構を形成すれば良い。コアロッドの端部には弾性機能付きの非対称ロック部品が設けられており、同ロック部品と注射器の針基の内腔は係止方式によってお互いにロックする。針基が注射器のバレル本体まで引き込まれると、非対称弾性構造の作用力で、針基が力を受けて一側に偏向する。注射針はこれで約四十五度の方向でバレル本体の内壁の一側に倒れる。注射針が完全にバレル本体まで戻った後、針がバレル本体のネック部にロックされ、従って、注射針と針基は再度バレル本体ネック部へ押し出されることができなくなり、有効に針が再度押し出されて二次損傷になることを防ぎ、注射器の安全な自滅操作を実現し、従来技術に存在する欠陥と不足を克服した。
【０００８】
上記の目的を実現するために、本発明の技術方案は針引き込み式の針交換可能な安全な自滅式注射器であって、バレル本体を備え、前記バレル本体の端部のバレルネックの中には針基本体が設けられており、バレル本体の中にはコアロッドが設けられており、コアロッドの端部に近いところにはゴム栓が嵌められており、バレルネックと内針基の本体との間には弾性緩衝規制係止機構が形成され、同弾性緩衝規制係止機構は内針基の本体の外壁に配置されても良く、或いはバレルネックの内壁に配置されても良いことを特徴とする。
【０００９】
本発明は針引き込み式の針交換可能な安全な自滅式注射器を開示した。その注射器のコアロッドの端部には弾性機能付きの非対称引き込みロック部品が設けられており、非対称な構造の嵌合弾性機能の設計は、同ロック部品がスムーズに針基内腔に挿入することを確保でき、その弾性拡張の機能を利用することで、両側の非対称な係止部と針基の内腔のインナースリーブタイプ引き込みロックユニット部が噛み合ってロックすることを実現する。インナースリーブタイプ引き込みロックユニット内腔の環状溝の設計にも弾性緩衝の特性を有するので、非対称引き込みロック部品と推進状態で接触するとき、両者とも相対的に緩衝変形を発生し、ロック部品がインナースリーブタイプ引き込みロックユニットの内腔に係止しやすくなり、ロック部品を引き戻すときにインナースリーブタイプ引き込みロックユニットとお互いにロックする。針基が注射器のバレル本体の中に引き戻された後、非対称な作用力の応力環境において、針基が一側に偏向し、注射針はこれで約四十五度の方向でバレル本体の内壁の一側に倒れ、注射針が完全にバレル本体に戻された後、針がネック部にロックされて、従って注射針と針基は再度バレル本体のネック部へ押し出されることができなくなり、有効に針が再度押し出されて二次損傷になることを防ぎ、確実に注射器の安全な自滅操作が実現される。本発明の実施時に、前記非対称弾性引き込みロック部品はプラスチックバーブである。同プラスチックバーブは、非対称性と弾性体構造が巧妙に嵌合する設計原理を採用し、特性の角度と寸法設計を適用し、バーブ本体に弾性緩衝ロック機能を有させる。上記の非対称弾性引き込みロック部品はコアロッドと一体構造を形成し、全体部品は一次成型を採用し、単独加工又は後続組立を必要とせず、有効に製造コストを低減し、組立プロセスを簡略し、組立工程を減らした。コアロッドの端部の非対称弾性引き込み部品と針基の内腔との係止ロック効果は優れており、製品の全体構造は合理的であり、巧みな構想にもとづき、使用操作は簡単であり、動作状態が安定しており、普及応用しやすく、従来の製品設計と技術と比べて、設計的に目立つな技術性ブレークするーを有し、素晴らしい安全性と実用性という特徴を有する。
【図面の簡単な説明】
【００１０】
【図１】図１は本発明の構造表示図である。
【００１１】
【図２】図２は本発明の交換可能な針基の構造表示図である。
【００１２】
【図３】図３は本発明の内針基本体の構造表示図である。
【００１３】
【図４】図４は図3の局部拡大図である。
【００１４】
【図５】図５は図3の俯瞰図である。
【００１５】
【図６】図６は本発明のインナースリーブタイプ引き込みロックユニットの構造表示図である。
【００１６】
【図７】図７は本発明のバレル本体の構造表示図である。
【００１７】
【図８】図８は図７A-A視図である。
【００１８】
【図９】図９は本発明のコアロッドの構造表示図である。
【００１９】
【図１０】図１０は本発明のハーブの構造表示図である。
【００２０】
【図１１】図１１は本発明の内針基本体とインナースリーブタイプ引き込みロックユニットの組立構造表示図である。
【００２１】
【図１２】図12は本発明の第一使用状態図である。
【００２２】
【図１３】図13は本発明の第二使用状態図である。
【００２３】
【図１４】図14は本発明の第三使用状態図である。
【００２４】
【図１５】図15は本発明の第四使用状態図である。
【００２５】
【図１６】図16は本発明の第五使用状態図である。
【００２６】
【図１７】図17は本発明の第六使用状態図である。
【発明を実施するための形態】
【００２７】
以下、図面を参照しながら、本発明の実施形態について説明する。
【００２８】
本発明は針引き込み式の針交換可能な安全な自滅式注射器である。バレル本体１を備え、前記バレル本体１の端部のバレルネック２の中には内針基本体３が設けられており、バレル本体１の中にはコアロッド5が設けられており、コアロッド5の端部に近いところにはゴム栓6が嵌められている。従来技術と違って、バレルネック２と内針基本体３との間には弾性緩衝規制係止機構が形成され、同弾性緩衝規制係止機構は内針基本体３の外壁に配置されても良く、或いはバレルネック２の内壁に配置されても良いことを特徴とする。同弾性緩衝規制係止機構は、内針基本体とバレル本体の間で安定に噛み合うという要求を達成させることができるし、軽く脱離する効果も実現できる。
【００２９】
本発明の実施形態において、前記弾性緩衝規制係止機構は内針基本体３に配置される。同内針基本体３の内腔は中空であり、腔内にはインナースリーブタイプ引き込みロック部品4が設けられており、或いは内針基本体３の外部には外側スリーブタイプ引き込みロックユニットが嵌められている。前記内針基本体３の上部には針交換可能な組立部7が形成され、内針基本体３の下部には弾性密封規制部8が形成され、針交換可能な組立部7と弾性密封規制部8は一体式の単体構造となる。弾性密封規制部8の表面には環状緩衝隙間9が開けられており、環状緩衝隙間9の外側の弾性密封規制部8の外壁には環状密封規制係止部10が形成され、弾性密封規制部8の外壁には側面旋回防止用凸状リブ13が設けられている。針交換可能な組立部７には雄ネジ組立部11が形成されている。コアロッド5の端部には非対称弾性ロック引き込み部品が設けられている。
【００３０】
本発明のもう一つの実施形態において、前記弾性緩衝規制係止機構は内針基本体３に配置される。同内針基本体３内腔は中空であり、腔内にはインナースリーブタイプ引き込みロック部品4が設けられており、或いは内針基本体３の外部には外側スリーブタイプ引き込みロックユニットが嵌められている。前記内針基本体３の上部には針交換可能な組立部7が形成され、内針基本体３の下部には弾性密封規制部8が形成され、針交換可能な組立部7と弾性密封規制部8は分離型の組立構造となる。弾性密封規制部8の表面には環状緩衝隙間9が開けられており、環状緩衝隙間9の外側の弾性密封規制部8の外壁には環状密封規制係止部10が形成され、弾性密封規制部8の外壁には側面旋回防止用凸状リブ13が設けられている。針交換可能な組立部７には雄ネジ組立部11が形成されている。コアロッド5の端部には非対称弾性ロック引き込み部品が設けられている。
【００３１】
具体的に実施するとき、前記非対称弾性ロック引き込み部品はコアロッドの対称中心線を中軸とし、その中軸の両側にはそれぞれ一つの係止ロック部が形成され、そして両側の係止ロック部は非対称状であり、前記一側の係止ロック部は他側の係止ロック部より高くまたは低く、前記一側の係止ロック部の幅は他側の係止ロック部より大きくまたは小さく、前記一側又は両側の係止ロック部は弾性構造を有し、前記一側の係止ロック部の外側縁とロッド本体の対称中心線との距離は1mm〜20mmである。上記構造は引き込み部品全体又は一部が弾性構造を有することを実現でき、スムーズに針基の腔に噛み込むことができ、引き戻す時にそれと完全に噛み合う。非対称な係止ロックの構造は針基に対して非対称な作用力を加えることができ、針基がバレル本体の内腔に入った後に一側に偏向させ、注射器の安全操作を実現する。
【００３２】
具体的に実施するとき、前記非対称弾性ロック引き込み部品はバーブ12である。前記バーブ12はプラスチック材質であり、かつコアロッド5部と一体構造となり、一次成型されている。材料が一致していることによってコアロッド全体の係止ロック機能の安定性を確保でき、一体構造であることによって組立工程を省略し、生産効率を向上し、製造コストを低減することができる。
【００３３】
具体的に実施するとき、前記バーブ１２の下端にはベース部１4が形成され、ベース部１4の上部には一側に偏向する第一湾曲アーム１5が形成され、第一湾曲アーム１5とベース部１4との接続箇所の外側壁には内部が凹状の円弧角16又は斜角が形成され、同円弧角は４５度〜１７９度である。第一湾曲アーム１5の下端はベース部１4の上端と繋がり、第一湾曲アーム１5の上端は第二湾曲アーム１7の一側と繋がり、第二湾曲アーム１7の他側はぶら下がっている。第一湾曲アーム１5と第二湾曲アーム１7との接続箇所の外側には円弧面１8が形成され、第一湾曲アーム１５と第二湾曲アーム１7との接続箇所の内側には２度〜９０度の内夾角39が形成されている。第二湾曲アーム１７のぶら下がり端と第一湾曲アーム１５の間には幅0.5mm〜40mmの切り欠きが形成され、前記第一湾曲アーム１5の長さは0.5mm〜50mmであり、前記第二湾曲アーム１7の長さは0.5mm〜60mmである。前記第二湾曲アーム17のぶら下がり端には刺部２４が形成され、かつ第二湾曲アーム17のぶら下がり端はベース部14の外側縁より伸び出ている。
【００３４】
具体的に実施するとき、前記コアロッド5には四つ十字型等角分布の補強リブ21が形成され、補強リブ21の外縁には規制折片22が設けられている。前記規制折片22と補強リブ21の間は少なくとも2個の接点23により繋がっている。注射器の組立完了後に規制折片22の先端はちょうど上向きにバレル本体の下端を突っ張って、注射器が使用前に外力作用を受けてコアロッドが前に移動して、注射器が予想外に廃棄されることを防止する。使用時に、ただ接点に沿って規制折片22を曲げることで、それを補強リブ２１から折ることができる。
【００３５】
具体的に実施するとき、前記針交換可能な組立部7の雄ネジ組立部11には交換可能な針基24がねじり込まれて締結されており、交換可能な針基24の上端の中心位置には針管２５が設けられており、交換可能な針基24の中には針管25と繋がる円柱状腔30が形成されている。交換可能な針基24の内腔の内壁には雄ネジ組立部11と合わせられる雌ネジ組立部31が形成されており、円柱状腔30の上部は円錐状であり、同円錐状のテーパーは６：100である。同テーパーは組立の密封性能を確保でき、国際的に通用するパラメーターである。
【００３６】
具体的に実施するとき、前記弾性密封規制部8の外壁には環状に均一分布した状態で側面旋回防止用凸状リブ13が設けられており、前記側面旋回防止用凸状リブ13の端部は半円弧状又は錐状である。
【００３７】
具体的に実施するとき、前記針交換可能な組立部7の上部は円錐状であり、そのテーパーは6：100である。針交換可能な組立部7の下部の外壁には雄ネジ組立部11が形成されており、同テーパーは組立の密封性能を確保でき、国際的に通用するパラメーターである。
【００３８】
具体的に実施するとき、針交換可能な組立部7が弾性密封規制部8との移行（Transition）箇所には環状段26又は環状斜面を形成する。
【００３９】
具体的に実施するとき、前記環状緩衝隙間9は全体環状溝構造、或いは非全体環状の分段式構造である。そのノッチから溝底までの高さは0.05mm〜４mmであり、環状緩衝隙間9の幅は0.05mm〜4mmであり、環状緩衝隙間9の外側の溝壁と環状密封規制係止部10の表面の弧面アーク頂点との距離は0.1mm〜6mmであり、環状緩衝隙間9の外側の溝壁のノッチと環状密封規制係止部10の外壁との距離は0.1mm〜6mmであり、環状緩衝隙間9の外側の溝壁の溝底と環状密封規制係止部10の外壁との距離は0.1mm〜6mmである。環状密封規制係止部10の表面は弧面状であり、環状密封規制係止部１０の表面アーク頂点から弧面の上縁までの距離はアーク頂点から弧面の下縁までの距離より小さい。前記環状密封規制係止部10の下部の弾性密封規制部8の外壁には環状凹み２7が形成されている。
【００４０】
具体的に実施するとき、前記環状凹み27は環状緩衝隙間9の溝底と同じ水平面に位置し、或いは環状緩衝隙間9の溝底より高い。
【００４１】
具体的に実施するとき、前記環状段26の下部の弾性密封規制部8の外壁には環状シールリング組立溝28が形成され、環状シールリング組立溝28の中には「O」リング２９が嵌められている。
【００４２】
具体的に実施するとき、前記バレル本体１のバレルネック２の外部には、バレル本体の端部が内針基の端部の構造を保護することに役立つようにバレル本体シース32が嵌められている。
【００４３】
具体的に実施するとき、前記バレル本体１のバレルネック２の内壁には環状密封規制係止部10と嵌合する環状密封規制凹み33が設けられている。環状密封規制凹み33の深さは0.01mm〜4mmであり、環状密封規制凹み33の高さは0.01mm〜6mmである。環状密封規制凹み20の凹みの底部は弧面状であり、環状密封規制凹み33の下部のバレルネック２の内壁には側面旋回防止用凸状リブ13と合わせられる反対方向側面旋回防止用凸状リブ34が形成されている。
【００４４】
具体的に実施するとき、前記内針基本体３の腔内壁には少なくとも一つの内針基環状規制溝35が形成され、内針基本体３の腔にはインナースリーブタイプ引き込みロックユニット4が設けられており、インナースリーブタイプ引き込みロックユニット4の外壁には少なくとも一つの内針基環状規制溝35と合わせられる規制バルジループ36が配置されている。
【００４５】
具体的に実施するとき、前記インナースリーブタイプ引き込みロック部品4の内腔は中空であり、その内腔内壁の下端の切り欠きに近いところには環状係止ロック部３８が形成され、同環状係止ロック部は一定の緩衝弾性機能を有し、上記の非対称弾性ロック引き込み部品は推進過程においてそれと接触するとき、両者とも相互作用力で弾性緩衝変形を発生し、このようにして非対称弾性ロック引き込み部品は推進過程においてスムーズに環状係止ロック部を通過することができる。
【００４６】
具体的に実施するとき、前記環状係止ロック部38の上部には同環状溝37が形成されている。環状溝37の内側壁40の厚みは0.01mm〜3mmであり、環状溝37内側壁40が環状溝37の外側壁41と2度〜90度の夾角を形成し、環状溝37の内側壁上端に形成される内直径は１mm〜80mmである。上記技術パラメーターは、環状係止ロック部38が弾性緩衝機能を有することを確保し、特に外側壁41において機能を発揮する。具体的に実施するとき、前記環形溝37のノッチの幅は溝底の幅より大きい。
【００４７】
非対称弾性ロック引き込み部品がインナースリーブタイプ引き込みロックユニット4の中に滑り込んだ後、後ろ向きにコアロッドを引くと、非対称弾性引き込みロック部品の一側の端部（バーブの第二湾曲アームのぶら下がり端）はちょうど環状溝37の中に挟まれて、コアロッド端部がインナースリーブタイプロックユニット4と完全に噛み合うことになる。
【００４８】
実際に操作するとき、図12〜図17のように、交換可能な針基を内針基本体の端部で回転させて、両者をネジ構造が6：100テーパー構造として合わせて、密封組立の効果を実現する。液を吸入して注射を始め、コアロッドをゆっくりと推進すると、非対称弾性ロック引き込み部品の合計幅はインナースリーブ引き込みロックユニットの環状溝37の内径より大きい為、両者が接触してから、非対称弾性ロック引き込み部品の一側が変形した後に、幅が狭くなってからインナースリーブ引き込みロックユニットの内腔に入っていくことになる。非対称弾性ロック引き込み部品が内腔に入ると、応力効果が失われて、非対称弾性ロック引き込み部品が元の形状に回復し、注射が完了した後に後ろへコアロッドを引くと、同非対称弾性ロック引き込み部品（バーブ第二湾曲アームのぶら下がり端）の側端はちょうどインナースリーブタイプ引き込みロックユニットの環状溝に挟まれ、コアロッドのテンションの作用で、テンションがインナースリーブタイプ引き込みロックユニットを通して内針基本体に伝導され、内針基本体の弾性密封規制部の環状緩衝隙間が力を受けて変形し、環状緩衝隙間が狭くなることによって、環状密封規制係止部はバレル本体の環状密封規制凹みから滑り出す。最後に針部の全体がバレル本体の内腔に引き込まれる。非対称弾性ロック引き込み部品の作用で、針基は針が一側に偏向するように動かされて、正常な位置移動軌跡を外れるので、再度バレルネックの中に組み立てることができなくなり、注射器の安全な自滅操作が実現される。
【００４９】
以上が、本発明の実施形態の一例の説明であるが、本発明は、上記の実施形態の構成に限定されるものではなく、特許請求の範囲の記載によって表現された技術的思想の範囲内において様々な変形が可能である。
【図１】
0005921727.tif 000002
【図２】
0005921727.tif 000003
【図３】
0005921727.tif 000004
【図４】
0005921727.tif 000005
【図５】
0005921727.tif 000006
【図６】
0005921727.tif 000007
【図７】
0005921727.tif 000008
【図８】
0005921727.tif 000009
【図９】
0005921727.tif 000010
【図１０】
0005921727.tif 000011
【図１１】
0005921727.tif 000012
【図１２】
0005921727.tif 000013
【図１３】
0005921727.tif 000014
【図１４】
0005921727.tif 000015
【図１５】
0005921727.tif 000016
【図１６】
0005921727.tif 000017
【図１７】
0005921727.tif 000018